(57)【要約】      （修正有）【課題】本体部に対するペットシーツの着脱を容易にし、かつ、使用時における清潔さを維持できるペット用トレーを提供する。【解決手段】ペット用トレー１は、ペットシーツ２００が敷設される敷設面１１を備えた本体部１０と、粘着によってペットシーツ２００を敷設面１１に着脱可能に保持する粘着層１３と、敷設面１１に設けられ粘着層１３を露出させる露出面１１０とを有する。本体部１０は、敷設面１１の周囲を囲んで形成された周壁部３を有している。周壁部３は、敷設面１１よりも隆起した土手形状を有している。周壁部３は、敷設面１１よりも高さが一旦低くなってから緩やかに隆起している。【選択図】図１
0003198806.tif 000002
【実用新案登録請求の範囲】
【請求項１】
ペットシーツが敷設される敷設面を備えた本体部と、
粘着によって前記ペットシーツを前記敷設面に着脱可能に保持する粘着層と、
前記敷設面に設けられ前記粘着層を露出させる露出面と
を有するペット用トレー。
【請求項２】
前記露出面は、前記本体部に複数設けられている、
請求項１記載のペット用トレー。
【請求項３】
前記本体部は、前記露出面から露出させた状態で前記粘着層を収容する溝部を有する、
請求項１又は２に記載のペット用トレー。
【請求項４】
前記溝部は、内面の少なくとも一部に凸部を有する、
請求項３記載のペット用トレー。
【請求項５】
前記凸部は、周期的に繰り返される線状に形成されている、
請求項４記載のペット用トレー。
【請求項６】
前記溝部は、内面の少なくとも一部に粗面を有する、
請求項３から５のいずれか一項に記載のペット用トレー。
【請求項７】
前記敷設面は、前記粘着層の少なくとも一部に対向する庇部を有する、
請求項１から６のいずれか一項に記載のペット用トレー。
【請求項８】
前記本体部は、
前記敷設面を折り曲げ可能に支持するヒンジ部を有する、
請求項１から７のいずれか一項に記載のペット用トレー。
【請求項９】
前記粘着層は、熱可塑性エラストマーを含む材料によって形成される、
請求項１から８のいずれか一項に記載のペット用トレー。
【請求項１０】
前記粘着層は、ホットメルトを含む材料によって形成される、
請求項１から８のいずれか一項に記載のペット用トレー。
【考案の詳細な説明】
【技術分野】
【０００１】
本考案は、ペットが寝そべったり排泄したり、餌を食べるための食器やケージを置いたりするためのペット用トレーに関する。
【背景技術】
【０００２】
従来のペットトレーとして、ペットの排泄物を吸収するペットシーツを、本体部に設けられたバックルや噛み込み歯等により本体部に固定支持するペットトレーが知られている（例えば、特許文献１）。
【先行技術文献】
【特許文献】
【０００３】
【特許文献１】実用新案登録第３０７８８０７号公報
【０００４】
従来のペットトレーでは、本体部へのペットシーツの固定支持にバックルや噛み込歯等を使用するため、ペットトレーへのペットシーツの着脱時の作業が煩雑となる。また、ペットトレーは通常、屋内で使用されるので清潔さが求められる。しかし、従来のペットトレーは、ペットシーツを本体部に固定支持するための部品自体や部品と本体部との間にペットの排泄物等が付着して清潔さが損なわれる場合がある。
【考案の概要】
【考案が解決しようとする課題】
【０００５】
本考案の目的は、本体部に対するペットシーツの着脱を容易にし、かつ、使用時における清潔さを維持できるペット用トレーを提供することにある。
【課題を解決するための手段】
【０００６】
本考案の一態様によるペット用トレーは、ペットシーツが敷設される敷設面を備えた本体部と、粘着によって前記ペットシーツを前記敷設面に着脱可能に保持する粘着層と、前記敷設面に設けられ前記粘着層を露出させる露出面とを有する。
【考案の効果】
【０００７】
本考案の一態様によれば、本体部に対するペットシーツの着脱を容易にし、かつ、使用時における清潔さを維持できる。
【図面の簡単な説明】
【０００８】
【図１】本考案の第１実施形態によるペット用トレー１の概略構成及び使用状態を模式的に示す斜視図である。
【図２】本考案の第１実施形態によるペット用トレー１の概略構成を示す平面図である。
【図３】本考案の第１実施形態によるペット用トレー１の概略構成を示す側面図である。
【図４】本考案の第１実施形態によるペット用トレー１を図２に示すＢ−Ｂ線で切断した断面図である。
【図５】本考案の第１実施形態によるペット用トレー１の断面の一部を拡大して示す図である。
【図６】本考案の第１実施形態の変形例１によるペット用トレー１の断面の一部を拡大して示す図である。
【図７】本考案の第１実施形態の変形例２によるペット用トレー１の断面の一部を拡大して示す図である。
【図８】本考案の第２実施形態によるペット用トレー２の概略構成及び使用状態を示す斜視図である。
【図９】本考案の第２実施形態によるペット用トレー２の概略構成を示す平面図である。
【図１０】本考案の第２実施形態によるペット用トレー２の概略構成を示す側面図である。
【考案を実施するための形態】
【０００９】
〔第１実施形態〕
本考案の第１実施形態によるペット用トレーについて、図１から図４を用いて説明する。図１は、本実施形態によるペット用トレー１の使用状態の一例を示す斜視図である。本来、ペットシーツ２００は、ペット用トレー１上に敷設されて使用されるが、図１では、理解を容易にするためペット用トレー１の上方にずらして図示されている。図２は、ペット用トレー１の概略構成を示す平面図であって、ペット用トレー１をペットシーツ２００が敷設される敷設面１１側から見た図である。図３は、ペット用トレー１の概略構成を示す側面図であって、ペット用トレー１の側面を図２における平面図の右側から見た図である。図４は、図２に示すＢ−Ｂ線で切断したペット用トレー１の断面図である。
【００１０】
ペット用トレー１は、ペットが寝そべったり排泄したり、餌を食べるための食器やケージを置いたりするときにペットシーツ２００を取り付けて使用される。図１に示すように、ペット用トレー１は、ペットシーツ２００が敷設される敷設面１１を備えた本体部１０と、粘着によってペットシーツ２００を敷設面１１に着脱可能に保持する粘着層１３と、敷設面１１に設けられ粘着層１３を露出させる露出面１１０とを有している。ペット用トレー１の使用時において敷設面１１に敷設されるペットシーツ２００は、吸水性に優れた素材、例えば乳児用のおむつ等に使用される吸水性ポリマーを主成分とする材料で形成されている。
【００１１】
図１及び図２に示すように、本体部１０は、敷設面１１の周囲を囲んで形成された周壁部３を有している。周壁部３は、敷設面１１よりも隆起した土手形状を有している。周壁部３は、敷設面１１よりも高さが一旦低くなってから緩やかに隆起している（図４参照）。なお、ペットシーツ２００は、例えば、ペットシーツ２００の中心と敷設面１１の中心とをほぼ合わせるようにして敷設面１１に敷設されたときに、周壁部３において高さが最も高くなる頂部の手前までを覆う程度の大きさを有している。また、敷設面１１に敷設されたペットシーツ２００の縁部は、周壁部３における敷設面１１よりも高さが一旦低くなってから緩やかに隆起する部分に沿いつつ周壁部３の頂部は超えない。このため、ペット用トレー１では、ペットの排泄物等がペットシーツ２００を伝わって本体部１０の外に溢れないようになっている。また、図３に示すように、本体部１０の裏面部分には、本体部１０を支持する脚部１７が設けられている。図３では、脚部１７は２つ図示されているが、実際には、本体部１０の裏面部分の四隅に１つずつ計４つ設けられている。脚部１７はそれぞれゴム等の合成樹脂で形成されている。これにより、脚部１７は、ペット用トレー１が設置される、例えば屋内の床等に対して滑りにくくなっている。このため、脚部１７は、本体部１０を床等に対して安定して支持できる。
【００１２】
図１及び図２に戻って、敷設面１１は、長方形状を有している。また、敷設面１１には、敷設面１１の長手方向にほぼ平行に凹形状の溝部１５が設けられている。溝部１５は、敷設面１１を開口する長方形状の開口端を有している。溝部１５内には粘着層１３が収容されている。本実施形態によるペット用トレー１では、溝部１５は本体部１０に３つ設けられている。具体的には、溝部１５は、敷設面１１のほぼ中央と、敷設面１１の各長辺側の端部近傍に設けられている。なお、図１、図２及び図４では、理解を容易にするため、３つの溝部１５のうち中央の溝部１５に収容された粘着層１３の図示を省略しているが、実際には３つの溝部１５全てに粘着層１３が収容されている。
【００１３】
粘着層１３は溝部１５の開口端を介して敷設面１１に露出する。これにより、敷設面１１には、粘着層１３が露出する露出面１１０が形成される。露出面１１０は、溝部１５の開口端に囲まれた領域でもある。溝部１５は本体部１０に３つ設けられているため、露出面１１０も敷設面１１に３つ設けられる。露出面１１０は、敷設面１１の長辺とほぼ同じ長さを有している。露出面１１０は、本体部１０に設けられた３つの溝部１５と一致する位置に所定間隔を空けて平行に設けられている。また、図４に示すように、３つの露出面１１０のそれぞれの幅は、同じ長さに形成されている。露出面１１０の幅は、溝部１５の開口端の幅αと同じ長さに形成されている。粘着層１３は露出面１１０から露出しているので、敷設面１１に敷設されたペットシーツ２００の裏面は粘着層１３に接触する。このため、ペットシーツ２００は粘着層１３の粘着によって敷設面１１に保持される。
【００１４】
ここで、粘着層１３について説明する。粘着層１３は、熱可塑性エラストマーを含む材料によって形成される。または、粘着層１３は、ホットメルトを含む材料によって形成される。
【００１５】
ペット用トレー１の製造過程において、熱可塑性エラストマー又はホットメルトは、熱融解した状態で溝部１５内に充填され、冷却固化される。これにより、図１、図２及び図４に示すように、溝部１５内に透過性を有する粘着層１３が形成される。なお、図４では、敷設面１１の長辺側端部の近傍に設けられた溝部１５に形成された装飾凸部１５１及び枠部１５３（いずれも詳細は後述する）の図示は省略している。
【００１６】
粘着層１３は、ペットシーツ２００を本体部１０の敷設面１１に着脱可能に保持するのに適した粘着性を有している。ペット用トレー１では、粘着層１３が露出面１１０から露出しているので、使用者は、ペットシーツ２００をペット用トレー１の上から本体部１０にかぶせるようにして敷設面１１に敷設し、ペットシーツ２００上を軽く押さえつけるという作業のみでペットシーツ２００をペット用トレー１に取り付けることができる。また、粘着層１３の粘着力は、使用者がペットシーツ２００をペット用トレー１から引き剥がすために粘着層１３に加える力よりも弱い。このため、使用者は、ペットシーツ２００をペット用トレー１から取り外すときには、ペットシーツ２００の一部をつまんで敷設面１１から引き剥がすだけでよい。また、ペットシーツ２００をペット用トレー１から引き剥がしても、ペットシーツ２００は、露出面１１０に露出する粘着層１３上に残らない。このように、ペット用トレー１は、バックル等によってペットシーツを本体部に取り付ける従来のペットトレーに比べてペットシーツの着脱作業が大幅に容易になる。
【００１７】
また、露出面１１０内でのペットシーツ２００のずれに対する粘着層１３の保持力は、敷設面１１からのペットシーツ２００の引き剥がしに対する保持力より強い。したがって、ペット用トレー１は、ペットシーツ２００の着脱が容易でありつつ、敷設面１１に敷設されたペットシーツ２００上でのペットの動き回りに対して、ペットシーツ２００がずれにくい構成になっている。また、ペット用トレー１は、粘着層１３を有することによりバックル等の固定部品が不要であるため、本体部１０に設けられる部品数が従来のペットトレーに比べて少ない。このため、ペット用トレー１は、本体部１０に設けられた部品にペットの排泄物等が付着して清潔さが損なわれることを防止し、使用時において清潔さを維持できる。また、粘着層１３は、水洗いすることで粘着性を回復する。このため、ペット用トレー１は、粘着層１３を含め本体部１０を水洗いすることができ、清潔さを保ちながら長期間の使用に耐えることができる。
【００１８】
次に、溝部１５及び露出面１１０の構成について図１、図２、図４及び図５を用いて詳しく説明する。図１及び図２に示すように、溝部１５は、溝部１５の開口端で囲まれた領域でもある露出面１１０から露出させた状態で粘着層１３を収容している。溝部１５は、内面の少なくとも一部から突出して、例えば動物の肉球や骨の形状を有する装飾凸部（凸部の一例）１５１を有している。装飾凸部１５１は、溝部１５の内面の一部である底面１５５から突出して形成されている。装飾凸部１５１は、３つの溝部１５のそれぞれの内面に複数設けられている。溝部１５に収容される粘着層１３は透過性を有しているので、溝部１５に粘着層１３が収容された状態であっても装飾凸部１５１のそれぞれは視認可能な状態となる。このため、装飾凸部１５１を有する溝部１５を備えることで、ペット用トレー１の装飾性が向上される。また、溝部１５は、枠形状を備えて装飾凸部１５１を囲んで設けられた枠部（凸部の一例）１５３を有している。枠部１５３は、溝部１５の内面の一部である底面１５５から突出して形成されている。なお、ペット用トレー１の溝部１５には、凸部として装飾凸部１５１及び枠部１５３の両方が設けられているが、これに限られず、溝部１５には、装飾凸部１５１及び枠部１５３のいずれか一方のみが設けられていてもよい。
【００１９】
ここで、溝部１５が有する凸部の一例である装飾凸部１５１及び枠部１５３と粘着層１３との関係について図５を用いて説明する。図５は、図４に示すペット用トレー１の中央に設けられた溝部１５近傍の断面を拡大して示す図である。中央に設けられた溝部１５に収容された粘着層１３は、図４では図示が省略されているが、図５では省略されずに図示されている。なお、図５では、粘着層１３のみは、ペット用トレー１の切断面における端面の形状が示されている。
【００２０】
図５に示すように、粘着層１３は、装飾凸部１５１及び枠部１５３を隙間なく被覆して形成されている。これにより、粘着層１３と、溝部１５の深さ方向における装飾凸部１５１及び枠部１５３との接触面積が広くなる。さらに、粘着層１３は、溝部１５の側壁面とも接触している。このため、粘着層１３は、溝部１５からの抜け方向（溝部１５の深さ方向）にかかる力に対する抵抗力が大きくなる。したがって、溝部１５は、装飾凸部１５１及び枠部１５３を有することにより、装飾凸部１５１及び枠部１５３を有さない場合に比べ粘着層１３をより安定して収容できる。
【００２１】
なお、本実施形態によるペット用トレー１では、装飾凸部１５１及び枠部１５３は、溝部１５の内面の一部である底面１５５から突出して形成されているが、これに限られず、例えば溝部１５の内面の一部である側壁面から突出して形成されていてもよい。また、溝部１５は、装飾凸部１５１及び枠部１５３に代えて、又は、装飾凸部１５１及び枠部１５３の少なくとも一方に加えて、内面の少なくとも一部に粗面を有していてもよい。粘着層１３が粗面を隙間なく被覆して形成されることにより、溝部１５と粘着層１３との接触面積が増加する。これにより、粘着層１３は、溝部１５からの抜け方向（溝部１５の深さ方向）にかかる力に対する抵抗力が大きくなる。溝部１５における粗面は、底面１５５に設けられてもよいし、側壁面に設けられてもよい。
【００２２】
（変形例１）
次に、本実施形態の変形例１によるペット用トレーについて図６を用いて説明する。変形例１によるペット用トレーは、敷設面１１の構成を除いて、上記第１実施形態によるペット用トレー１と同様の構成を有しているので、以下、敷設面１１の構成のみ説明し、その他の構成については説明を省略する。図６は、変形例１によるペット用トレー１において敷設面１１の中央に設けられた溝部１５の断面の近傍を拡大して示す図である。なお、図５と同様に、図６では、粘着層１３のみは、ペット用トレー１の切断面における端面の形状が示されている。
【００２３】
図６に示すように、変形例１によるペット用トレー１に設けられた敷設面１１は、粘着層１３の少なくとも一部に対向する庇部１１３を有している。庇部１１３は、敷設面１１の一部であって敷設面１１と一体に形成されている。庇部１１３は、敷設面１１の面内において溝部１５の底面１５５の上方に向かって突出して形成されている。庇部１１３は、溝部１５の長手側の開口端を構成している。また、庇部１１３の裏面側は、粘着層１３の上面と対向して接触している。これにより、粘着層１３は溝部１５が有する凸部（装飾凸部１５１及び枠部１５３）及び溝部１５の側壁面に加えて庇部１１３とも接触する。このため、溝部１５と粘着層１３との接触面積が増えるので、粘着層１３は、溝部１５からの抜け方向（溝部１５の深さ方向）にかかる力に対する抵抗力がさらに大きくなる。さらに、庇部１１３は、粘着層１３の一部の上方に迫り出して粘着層１３の溝部１５からの飛び出しを防止する。このため、庇部１１３を有するペット用トレー１では、粘着層１３を溝部１５により安定して収容できる。
【００２４】
変形例１における溝部１５の開口端に囲まれた領域である露出面１１０の面積は、庇部１１３が設けられていない場合の露出面１１０よりも狭くなる。すなわち、露出面１１０から露出する粘着層１３の面積が小さくなる。但し、庇部１１３が突出する長さはわずかであり、ペットシーツ２００に対して粘着層１３が有する保持力は、上記第１実施形態におけるペット用トレー１での保持力とほとんど変わらず、実使用上問題はない。なお、図６では、溝部１５に凸部（装飾凸部１５１及び枠部１５３）が設けられているが、これに限られず、凸部が設けられなくてもよい。また、溝部１５は、内面の少なくとも一部に粗面を有していてもよい。
【００２５】
（変形例２）
次に、本実施形態の変形例２によるペット用トレーについて図７を用いて説明する。変形例２によるペット用トレーは、溝部１５の構成を除いて、上記第１実施形態によるペット用トレー１と同様の構成を有しているので、以下、溝部１５の構成のみ説明し、その他の構成については説明を省略する。図７は、変形例２によるペット用トレー１において敷設面１１の中央に設けられた溝部１５の断面の近傍を拡大して示す図である。なお、図５及び図６と同様に、図７では、粘着層１３のみは、ペット用トレー１の切断面における端面の形状が示されている。
【００２６】
図７に示すように、変形例２によるペット用トレー１に備えられた溝部１５は、装飾凸部１５１に代え、周期的に繰り返される線状に形成された線状凸部（凸部の一例）１５９を有している。線状凸部１５９は、枠部１５３に囲まれた領域において複数（図７では８本）設けられている。また、複数の線状凸部１５９のそれぞれは、溝部１５の開口端側から見ると、枠部１５３の長辺に沿って一直線状を有し、互いにほぼ平行に設けられている。変形例２における溝部１５に収容された粘着層１３は、線状凸部１５９及び枠部１５３を隙間なく被覆して形成される。これにより、変形例２における溝部１５においても、粘着層１３と溝部１５との接触面積は大きくなる。したがって、粘着層１３は、溝部１５からの抜け方向（溝部１５の深さ方向）にかかる力に対する抵抗力が大きくなる。このため、変形例２における溝部１５によっても、装飾凸部１５１を有する溝部１５と同様に粘着層１３を安定して収容できる。なお、図７では、枠部１５３に囲まれた領域に線状凸部１５９が設けられているが、これに限られず、溝部１５には線状凸部１５９のみが設けられていてもよい。また、線状凸部１５９は、溝部１５の内面の一部である底面１５５から突出して形成されているが、例えば溝部１５の内面の一部である側壁面から突出して形成されていてもよい。また、線状凸部１５９の形状は、一直線状に限られず、枠部１５３に囲まれた領域において断続的な直線状に形成されていてもよい。
【００２７】
以上、説明したように、上記第１実施形態及び変形例１、変形例２によるペット用トレー１は、ペットシーツ２００が敷設される敷設面１１を備えた本体部１０と、粘着によってペットシーツ２００を敷設面１１に着脱可能に保持する粘着層１３と、敷設面１１に設けられ粘着層１３を露出させる露出面１１０とを有する。これにより、ペット用トレー１は、ペットシーツ２００の着脱を容易にすることができる。
【００２８】
また、ペット用トレー１において、露出面１１０は、本体部１０に複数設けられていてもよい。これにより、ペット用トレー１では、一の露出面１１０の面積が小さくなるのでペットシーツ２００が剥がし易くなる一方、ペット用トレー１全体では露出面１１０の面積が大きくなるので、ペットシーツ２００を粘着層１３によってより安定して本体部１０に保持することができる。
また、ペット用トレー１において、本体部１０は、露出面１１０から露出させた状態で粘着層１３を収容する溝部１５を有する。これにより、ペット用トレー１は、粘着層１３を安定して本体部１０に設置できる。
【００２９】
また、ペット用トレー１において、溝部１５は、内面の少なくとも一部に凸部（装飾凸部１５１,枠部１５３）を有していてもよい。また、溝部１５は、凸部として周期的に繰り返される線状に形成された線状凸部１５９を有していてもよい。また、溝部１５は、内面の少なくとも一部に粗面を有していてもよい。これにより、粘着層１３は、溝部１５からの抜け方向（溝部１５の深さ方向）にかかる力に対する抵抗力が大きくなるので、溝部１５に安定して収容されることができる。
さらに、敷設面１１は、粘着層１３の少なくとも一部に対向する庇部１１３を有していてもよい。これにより、粘着層１３は溝部１５からの抜け方向（溝部１５の深さ方向）にかかる力に対する抵抗力がさらに大きくなるので、溝部１５により安定して収容されることができる。
また、ペット用トレー１において、粘着層１３は、熱可塑性エラストマー又はホットメルトを含む材料によって形成される。これにより、粘着層１３は、粘着によってペットシーツ２００を着脱可能に敷設面１１に保持することができる。
【００３０】
〔第２実施形態〕
次に、本考案の第２実施形態によるペット用トレーについて、図８から図１０を参照して説明する。第２実施形態によるペット用トレーは、上記第１実施形態によるペット用トレー１と異なり、ペットシーツを敷設する敷設面が折り曲げ可能に構成されている点に特徴を有している。図８は、敷設面１１を折り曲げて使用する場合のペット用トレー２の使用状態の一例を示す斜視図である。図８では、本来ペット用トレー２の敷設面１１に敷設されて使用されるペットシーツの図示は省略している。図９は、敷設面１１が開いた状態のペット用トレー２の概略構成を示す平面図であって、ペットシーツが敷設される敷設面１１側からペット用トレー２を見た図である。図１０は、ペット用トレー２の側面を図８に示す平面図の右側から見た図である。なお、上記第１実施形態によるペット用トレー１と同一の機能・作用を奏する構成要素には、同一の符号を付して、説明は省略する。
【００３１】
図８から図１０に示すように、ペット用トレー２の本体部１００は、上記第１実施形態によるペット用トレー１の本体部１０に相当する第１本体部１００ａ及び第２本体部１００ｂを有している。ペット用トレー２では、敷設面１１は、第１本体部１００ａ及び第２本体部１００ｂに亘って設けられている。また、図９及び図１０に示すように、本体部１００は、第１本体部１００ａと第２本体部１００ｂとの間に敷設面１１を折り曲げ可能に支持するヒンジ部１９を有している。第１本体部１００ａと第２本体部１００ｂとは、ヒンジ部１９を介して連結されている。ヒンジ部１９は、第１本体部１００ａ及び第２本体部１００ｂの長辺側の端部に設けられている。第１本体部１００ａ及び第２本体部１００ｂは、一の長辺側の端部にヒンジ部１９の一部をそれぞれ有している点で上記第１実施形態におけるペット用トレー１の本体部１０と異なるが、それ以外の構成は、本体部１０と同様である。したがって、第１本体部１００ａ及び第２本体部１００ｂの各構成は、本体部１０の各構成と同等の作用効果を有する。
【００３２】
ヒンジ部１９は回動可能に構成されている。このため、図８に示すように、ヒンジ部１９を有するペット用トレー２は、例えば第１本体部１００ａを屋内の床等に置き、第２本体部１００ｂが第１本体部１００ａに対して縦壁となるように立てた状態で、屋内の壁等に立て掛けて設置して使用できる。図９に示すように、本体部１００において、ヒンジ部１９の両端近傍の周壁部３には、ヒンジ部１９の回動を規制することで第１本体部１００ａと第２本体部１００ｂとを一定角度（本実施形態では、図８に示すようにほぼ９０度）で維持する回動規制部１９０が設けられている。回動規制部１９０は、第１本体部１００ａ側に配置された当接面１９１ａと、第２本体部１００ｂ側に配置された当接面１９１ｂとを有している。ペット用トレー２を折り曲げて使用する場合には、ヒンジ部１９を回動させて第２本体部１００ｂを、第１本体部１００ａに向かって回転させる。第２本体部１００ｂのこの回転に伴って、当接面１９１ｂは、当接面１９１ａに近付いていき、最終的に当接面１９１ａに接する。これにより、ヒンジ部１９の回動が規制されて第２本体部１００ｂは、それ以上同方向に回転できなくなるので、第１本体部１００ａに対して９０度の角度が維持される。この状態で第１本体部１００ａを床に、第２本体部１００ｂを壁に接するようにペット用トレー２を配置することで、第２本体部１００ｂは、第１本体部１００ａ側にも壁側にも倒れることがないので、第１本体部１００ａに対する第２本体部１００ｂの角度が９０度に保たれたままの状態でペット用トレー２を使用することができる。
【００３３】
なお、ペット用トレー２の使用状態は、図８に示す態様に限られず、第２本体部１００ｂが床等と接し、第１本体部１００ａが第２本体部１００ｂに対して縦壁となるようにも設置できる。また、図９に示すように、ペット用トレー２は、第１本体部１００ａ及び第２本体部１００ｂを開いた状態で床面に平置きして使用してもよい。
【００３４】
ペット用トレー２は、図８に示すように第１本体部１００ａと第２本体部１００ｂとがほぼ９０度の角度を維持する状態で設置できるので、例えば雄犬が排尿する際に壁等が汚れるのを防止できる。なお、ペット用トレー２の第１本体部１００ａ及び第２本体部１００ｂのそれぞれは、例えば上記第１実施形態におけるペット用トレー１の本体部１０とほぼ同等の大きさを有している。このため、ペット用トレー２の使用時には、図１に示すペットシーツ２００が第１本体部１００ａと第２本体部１００ｂのそれぞれの敷設面１１に敷設されるか、又はペットシーツ２００の２枚分の大きさに相当するペットシーツが敷設面１１全体に亘って敷設される。
【００３５】
具体的には、ペット用トレー２にペットシーツを敷設する際は、ペット用トレー２は、第１本体部１００ａ及び第２本体部１００ｂを開いた状態で床面上に平置きにされる。ペットシーツ２００を２枚使用する場合は、２枚のペットシーツ２００をヒンジ部１９上で重ね合わせるように第１本体部１００ａ及び第２本体部１００ｂそれぞれの敷設面１１に敷設して、ペットシーツ２００を上から軽く押さえつける。これにより、ヒンジ部１９を含む第１本体部１００ａ及び第２本体部１００ｂの長辺端部領域には２枚のペットシーツ２００が隙間なく敷設されるので、ヒンジ部１９にペットの排泄物等が付着するのを防止し、使用時において清潔さを維持できる。また、露出面１１０から露出した粘着層１３が粘着によってペットシーツ２００を保持するので、簡易な作業のみでペットシーツ２００をペット用トレー２に取り付けることができる。
【００３６】
また、ペットシーツ２００の２枚分の大きさに相当するペットシーツであれば、本体部１００全体にかぶせるようにペットシーツを敷設面１１に敷設して、同様にペットシーツを軽く押さえつける。これにより、露出面１１０から露出した粘着層１３が粘着によってペットシーツを保持するので、簡易な作業のみでペットシーツをペット用トレー２に取り付けることができる。また、上記第１実施形態と同様、ペットシーツをペット用トレー２から取り外すときは、ペットシーツを敷設面１１から引き剥がすだけでよい。
【００３７】
また、粘着層１３の粘着力は、例えばペットの排泄物を吸収した状態のペットシーツの自重によってペットシーツが敷設面１１から離れる方向に加わる力よりも大きい。このため、図８に示すように敷設面１１を折り曲げた状態でペット用トレー２を使用しても、縦壁となるように設置された第２本体部１００ｂから自重によってペットシーツが剥がれないようになっている。このように、第１実施形態よりも複雑な構造の第２実施形態によるペット用トレー２においても、簡易な作業によってペットシーツを本体部１００に着脱できる。
【００３８】
以上、説明したように、上記の構成を有する第２実施形態によるペット用トレー２は、上記第１実施形態と同様の作用効果を有している。また、ペット用トレー２は、上記第１実施形態の変形例１及び変形例２と同一の機能・作用を奏する構成要素を有していてもよい。
それらに加えて、ペット用トレー２において、本体部１００は、敷設面１１を折り曲げ可能に支持するヒンジ部１９を有する。これにより、使用時において第１本体部１００ａと第２本体部１００ｂとがほぼ９０度の角度を維持する状態でペット用トレー２を設置できるので、例えば雄犬が排尿する際に壁等が汚れるのを防止できる。
【００３９】
上記第１実施形態及び第２実施形態において粘着層１３は、敷設面１１の一部に設けられた溝部１５に収容されている態様であるが、これに限らず、例えば、敷設面１１を含む本体部１０及び本体部１００（第１本体部１００ａ，第２本体部１００ｂ）の上面全体が溝部１５と同様の構成を有し、粘着層１３を収容する態様であってもよい。この場合、敷設面１１全体が露出面を形成する。また、粘着層１３は、熱可塑性エラストマー又はホットメルトを含む材料によって形成されるとしたが、これに限らず、例えばシリコン等、粘着性を有する素材で形成されていてもよい。
【００４０】
また、上記第１実施形態及び第２実施形態では、粘着層１３により敷設面１１にペットシーツを保持する態様としているが、これに限らず、例えば、敷設面１１の一部または全体に、再剥離性の糊、粘着テープ、又は面ファスナー等を設けて、ペットシーツを保持する態様であってもよい。
【００４１】
上記の実施形態及び変形例は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。また、上記実施の形態や変形例で記載した構成、材料、数値等は、あくまでも一例であって、当業者が思いつく程度に、実施の形態、変形例同士を適宜、組み合わせてもよい。
【符号の説明】
【００４２】
１、２    ペット用トレー
３        周壁部
１０，１００  本体部
１１      敷設面
１３      粘着層
１５      溝部
１９      ヒンジ部
１７      脚部
１１０    露出面
１１３    庇部
１５１    装飾凸部
１５３    枠部
１５５    底面
１５９    線状凸部
１９０    回動規制部
２００    ペットシーツ
【図１】
0003198806.tif 000003
【図２】
0003198806.tif 000004
【図３】
0003198806.tif 000005
【図４】
0003198806.tif 000006
【図５】
0003198806.tif 000007
【図６】
0003198806.tif 000008
【図７】
0003198806.tif 000009
【図８】
0003198806.tif 000010
【図９】
0003198806.tif 000011
【図１０】
0003198806.tif 000012